(57)【要約】【課題】容易に製造することができる表示装置、テレビジョン受信機、枠体、及び枠体の製造方法を提供する。【解決手段】本実施の形態に係る表示装置は、正面に表示面を有する矩形板状の表示部材と、該表示部材に固定されている枠体３とを備える表示装置において、前記枠体３は、前記表示部材の周縁に沿うように配されている矩形状の枠本体４と、前記枠本体４の１辺に沿って互いに離隔している複数ヶ所にて前記枠本体４に係合することによって前記枠本体４に仮固定されており、前記表示部材の一側面を覆っているカバー５とを有し、前記枠本体４及び前記カバー５が共に前記表示部材に固定されていることを特徴とする。【選択図】図３
2019148653.tif 000002
【特許請求の範囲】
【請求項１】
正面に表示面を有する矩形板状の表示部材と、
該表示部材に固定されている枠体と
を備える表示装置において、
前記枠体は、
前記表示部材の周縁に沿うように配されている矩形状の枠本体と、
前記枠本体の１辺に沿って互いに離隔している複数ヶ所にて前記枠本体に係合することによって前記枠本体に仮固定されており、前記表示部材の一側面を覆っているカバーと
を有し、
前記枠本体及び前記カバーが共に前記表示部材に固定されていることを特徴とする表示装置。
【請求項２】
前記枠本体の前記１辺は、
該１辺に沿って延び、前記表示面に沿う向きに配されており、前記表示部材の後面に対向している第１板と、
該第１板の前記枠本体の内周側の端部から後向きに突出している突出部と、
前記１辺に沿って並び、夫々が前記第１板と前記突出部との境界に設けられている複数の第１係合孔と、
前記１辺に沿って並び、夫々が前記第１板の後面から後向きに突出している複数の第１係合突起と
を有し、
前記カバーは、
前記１辺に沿って延び、前記表示面に沿う向きに配されており、前記第１板の前記後面に対向している第２板と、
夫々が該第２板に設けられており、前記第１係合突起が係合している複数の第２係合孔と、
夫々が前記第２板の前記枠本体の内周側の端部に設けられており、前記第１係合孔に係合している複数の第２係合突起と、
前記第２板の前記枠本体の外周側の端部から前向きに突出しており、前記第１板の前記枠本体の外周側の端部及び前記表示部材の一側面を覆っているカバー本体と
を有することを特徴とする請求項１に記載の表示装置。
【請求項３】
前記第１係合突起は、前記第１係合孔の周縁部に設けられていることを特徴とする請求項２に記載の表示装置。
【請求項４】
前記枠本体の前記第１板には、前記枠本体及び前記カバーを前記表示部材に固定するための固定部材が挿入される第１挿入孔が前記第１係合突起に隣り合うようにして設けられており、
前記カバーの前記第２板には、前記固定部材が挿入され、前記第１挿入孔に対向している第２挿入孔が設けられていることを特徴とする請求項２又は３に記載の表示装置。
【請求項５】
前記第１係合突起は柱状をなし、
該第１係合突起の周面に、前記第１係合突起の軸長方向に沿い、前記枠本体の内周側及び外周側に向けて突出しており、少なくとも一方が前記第２係合孔の内面に接触している２つのリブが設けられていることを特徴とする請求項２から４の何れかひとつに記載の表示装置。
【請求項６】
前記カバーの前記１辺に沿う両端部は、前記枠本体の前記１辺に交差する２辺に係合していることを特徴とする請求項１から５の何れかひとつに記載の表示装置。
【請求項７】
請求項１から６の何れかひとつに記載の表示装置と、
テレビジョン放送を受信する受信部と
を備え、
該受信部にて受信したテレビジョン放送に基づいて、前記表示装置に映像を表示することを特徴とするテレビジョン受信機。
【請求項８】
矩形板状の表示部材に固定される枠体において、
前記表示部材の周縁に沿うように配される矩形状の枠本体と、
前記枠本体の１辺に沿って離隔している複数ヶ所にて前記枠本体に係合することによって前記枠本体に仮固定されており、前記表示部材の一側面を覆うカバーと
を備えることを特徴とする枠体。
【請求項９】
前記枠本体の前記１辺は、
該１辺に沿って延び、前記１辺及び前記枠本体の前記１辺に交差する２辺夫々に沿う向きの第１板と、
該第１板の前記枠本体の内周側の端部から前記１辺及び前記２辺夫々に交差する方向に突出している突出部と、
前記１辺に沿って並び、夫々が前記第１板と前記突出部との境界に設けられている複数の第１係合孔と、
前記１辺に沿って並び、夫々が前記第１板の一面から前記突出部の突出方向と同じ向きに突出している複数の第１係合突起と
を有し、
前記カバーは、
前記１辺に沿って延び、前記１辺及び前記２辺夫々に沿う向きに配されており、前記第１板の前記一面に対向している第２板と、
夫々が該第２板に設けられており、前記第１係合突起が係合している複数の第２係合孔と、
夫々が前記第２板の前記枠本体の内周側の端部に設けられており、前記第１係合孔に係合している複数の第２係合突起と、
前記第２板の前記枠本体の外周側の端部から前記突出方向の逆向きに突出しており、前記第１板の前記枠本体の外周側の端部を覆っており、前記表示部材の一側面を覆うカバー本体と
を備えることを特徴とする請求項８に記載の枠体。
【請求項１０】
請求項９に記載の枠体を製造する方法であって、
前記カバーの前記第２板が前記枠本体の前記一面に対して傾斜するようにして前記第２板を前記一面に対向させ、
前記カバーの前記第２係合突起を前記第１係合孔に挿入し、
次いで、前記カバーの前記第２板が前記枠本体の前記一面に沿うようにして前記第２板を前記一面に対向させることによって、前記枠本体の前記第１係合突起を前記カバーの前記第２係合孔に挿入することを特徴とする枠体の製造方法。
【発明の詳細な説明】
【技術分野】
【０００１】
本発明は、表示部材と枠体とを備える表示装置、テレビジョン受信機、枠体、及び枠体の製造方法に関する。
【背景技術】
【０００２】
特許文献１に記載の表示装置は、矩形板状の表示部材と矩形状の枠体とを備える。表示部材は表示部及びシャーシを備える。表示部は表示面を有する。シャーシは、表示部の表示面が露出するようにして表示部を収容している。枠体は、表示部材の全周を覆うようにして、表示部材のシャーシに固定されている。
【０００３】
枠体は、矩形状の枠本体と、枠本体の１辺に沿うカバーとに分割されることがある。
枠本体は、表示部材の周縁に沿うようにして、表示部材に後側から固定される。枠本体は高強度化及び低コスト化を重視して製造される。
カバーは、表示部材の一側面を覆うようにして、表示部材に固定される。カバーは美観性及び意匠性の向上を重視して製造される。
【先行技術文献】
【特許文献】
【０００４】
【特許文献１】特開２０１７−１６７４１９号公報
【発明の概要】
【発明が解決しようとする課題】
【０００５】
しかしながら、枠本体とカバーとを個別に表示部材に固定する作業は煩雑である。
また、カバーは細長いので歪み易い。カバーの歪みを抑制しつつカバーを表示部材に固定する作業は煩雑である。
【０００６】
本発明は斯かる事情に鑑みてなされたものであり、その主たる目的は、容易に製造することができる表示装置、テレビジョン受信機、枠体、及び枠体の製造方法を提供することにある。
【課題を解決するための手段】
【０００７】
本実施の形態に係る表示装置は、正面に表示面を有する矩形板状の表示部材と、該表示部材に固定されている枠体とを備える表示装置において、前記枠体は、前記表示部材の周縁に沿うように配されている矩形状の枠本体と、前記枠本体の１辺に沿って互いに離隔している複数ヶ所にて前記枠本体に係合することによって前記枠本体に仮固定されており、前記表示部材の一側面を覆っているカバーとを有し、前記枠本体及び前記カバーが共に前記表示部材に固定されていることを特徴とする。
【０００８】
本実施の形態に係る表示装置は、前記枠本体の前記１辺は、該１辺に沿って延び、前記表示面に沿う向きに配されており、前記表示部材の後面に対向している第１板と、該第１板の前記枠本体の内周側の端部から後向きに突出している突出部と、前記１辺に沿って並び、夫々が前記第１板と前記突出部との境界に設けられている複数の第１係合孔と、前記１辺に沿って並び、夫々が前記第１板の後面から後向きに突出している複数の第１係合突起とを有し、前記カバーは、前記１辺に沿って延び、前記表示面に沿う向きに配されており、前記第１板の前記後面に対向している第２板と、夫々が該第２板に設けられており、前記第１係合突起が係合している複数の第２係合孔と、夫々が前記第２板の前記枠本体の内周側の端部に設けられており、前記第１係合孔に係合している複数の第２係合突起と、前記第２板の前記枠本体の外周側の端部から前向きに突出しており、前記第１板の前記枠本体の外周側の端部及び前記表示部材の一側面を覆っているカバー本体とを有することを特徴とする。
【０００９】
本実施の形態に係る表示装置は、前記第１係合突起は、前記第１係合孔の周縁部に設けられていることを特徴とする。
【００１０】
本実施の形態に係る表示装置は、前記枠本体の前記第１板には、前記枠本体及び前記カバーを前記表示部材に固定するための固定部材が挿入される第１挿入孔が前記第１係合突起に隣り合うようにして設けられており、前記カバーの前記第２板には、前記固定部材が挿入され、前記第１挿入孔に対向している第２挿入孔が設けられていることを特徴とする。
【００１１】
本実施の形態に係る表示装置は、前記第１係合突起は柱状をなし、該第１係合突起の周面に、前記第１係合突起の軸長方向に沿い、前記枠本体の内周側及び外周側に向けて突出しており、少なくとも一方が前記第２係合孔の内面に接触している２つのリブが設けられていることを特徴とする。
【００１２】
本実施の形態に係る表示装置は、前記カバーの前記１辺に沿う両端部は、前記枠本体の前記１辺に交差する２辺に係合していることを特徴とする。
【００１３】
本実施の形態に係るテレビジョン受信機は、本実施の形態に係る表示装置と、テレビジョン放送を受信する受信部とを備え、該受信部にて受信したテレビジョン放送に基づいて、前記表示装置に映像を表示することを特徴とする。
【００１４】
本実施の形態に係る枠体は、矩形板状の表示部材に固定される枠体において、前記表示部材の周縁に沿うように配される矩形状の枠本体と、前記枠本体の１辺に沿って離隔している複数ヶ所にて前記枠本体に係合することによって前記枠本体に仮固定されており、前記表示部材の一側面を覆うカバーとを備えることを特徴とする。
【００１５】
本実施の形態に係る枠体は、前記枠本体の前記１辺は、該１辺に沿って延び、前記１辺及び前記枠本体の前記１辺に交差する２辺夫々に沿う向きの第１板と、該第１板の前記枠本体の内周側の端部から前記１辺及び前記２辺夫々に交差する方向に突出している突出部と、前記１辺に沿って並び、夫々が前記第１板と前記突出部との境界に設けられている複数の第１係合孔と、前記１辺に沿って並び、夫々が前記第１板の一面から前記突出部の突出方向と同じ向きに突出している複数の第１係合突起とを有し、前記カバーは、前記１辺に沿って延び、前記１辺及び前記２辺夫々に沿う向きに配されており、前記第１板の前記一面に対向している第２板と、夫々が該第２板に設けられており、前記第１係合突起が係合している複数の第２係合孔と、夫々が前記第２板の前記枠本体の内周側の端部に設けられており、前記第１係合孔に係合している複数の第２係合突起と、前記第２板の前記枠本体の外周側の端部から前記突出方向の逆向きに突出しており、前記第１板の前記枠本体の外周側の端部を覆っており、前記表示部材の一側面を覆うカバー本体とを備えることを特徴とする。
【００１６】
本実施の形態に係る枠体の製造方法は、本実施の形態に係る枠体を製造する方法であって、前記カバーの前記第２板が前記枠本体の前記一面に対して傾斜するようにして前記第２板を前記一面に対向させ、前記カバーの前記第２係合突起を前記第１係合孔に挿入し、次いで、前記カバーの前記第２板が前記枠本体の前記一面に沿うようにして前記第２板を前記一面に対向させることによって、前記枠本体の前記第１係合突起を前記カバーの前記第２係合孔に挿入することを特徴とする。
【発明の効果】
【００１７】
本実施の形態の表示装置、テレビジョン受信機、枠体、及び枠体の製造方法によれば、容易に製造することができる。
【図面の簡単な説明】
【００１８】
【図１】実施の形態に係るテレビジョン受信機を示す斜視図である。
【図２】表示装置の分解斜視図である。
【図３】枠体の背面図である。
【図４】枠体の分解斜視図である。
【図５】８つの係合位置のひとつにおける枠本体の上辺及びカバーの拡大斜視図である。
【図６】同じく断面斜視図である。
【図７】枠本体の左辺の上端部及びカバーの左端部の拡大斜視図である。
【図８】同じく断面斜視図である。
【図９】テレビジョン受信機を示す背面図である。
【図１０】枠本体の上辺へのカバーの係合手順を説明するための断面斜視図である。
【図１１】枠本体へのカバーの左端部の係合手順を説明するための断面斜視図である。
【発明を実施するための形態】
【００１９】
以下、本発明を、その実施の形態を示す図面に基づいて詳述する。
【００２０】
図１は、実施の形態に係るテレビジョン受信機を示す斜視図である。
図中１はテレビジョン受信機であり、テレビジョン受信機１は、受信部１１、信号処理部１２、及び表示装置２を備える。
【００２１】
受信部１１は、受信回路が実装された回路基板である。受信部１１は、図示しないアンテナを介して外部からテレビジョン放送を受信し、受信したテレビジョン放送に基づく放送信号を出力する。
信号処理部１２は、信号処理回路が実装された回路基板である。信号処理部１２は、受信部１１が出力した放送信号に所定の信号処理を施すことによって、映像データを出力する。
【００２２】
受信部１１及び信号処理部１２は表示装置２に内蔵されている。表示装置２には表示面２０が設けられている。表示面２０には、信号処理部１２が出力した映像データに基づく映像が表示される。
なお、受信部１１及び信号処理部１２は表示装置２に外付けされていてもよい。
【００２３】
テレビジョン受信機１はスタンド１３を備える。表示装置２は、スタンド１３に支持されて据え置きされる。
以下では、表示装置２の厚み方向、長手方向、及び短手方向を、前後方向、左右方向、及び上下方向という。
【００２４】
図２は、表示装置２の分解斜視図である。
図１及び図２に示すように、表示装置２は表示部材２１及び枠体３を備える。
表示部材２１は、左右方向に長い矩形板状をなす。表示部材２１は、正面に表示面２０を有する。表示部材２１は皿状のシャーシ２１１を備える。シャーシ２１１は、一面に表示面２０を有する表示パネルと、表示パネルを照明するバックライトとを、表示面２０が露出するようにして収容している。
【００２５】
図３は、枠体３の背面図である。図４は、枠体３の分解斜視図である。
図２〜図４に示すように、枠体３は、枠本体４及びカバー５を備える。
枠本体４は、左右方向に長い矩形状をなす。枠本体４は、表示部材２１の周縁に沿うようにして、表示部材２１に後側から固定されている。図４には、枠本体４の上辺部及び枠本体４の左右両辺部の上部が示されている。
カバー５は、左右方向に細長い部材である。カバー５は、枠本体４の上辺に沿うようにして、枠本体４と共に表示部材２１に固定されている。
【００２６】
カバー５の左右両端部５ａ，５ｂは、枠本体４の左辺の上端部及び枠本体４の右辺の上端部に係合している。
また、カバー５の左右方向の非端部は、左右方向に互いに離隔している８ヶ所にて、枠本体４の上辺に係合している。枠本体４の上辺における８つの係合位置夫々には、第１係合突起４１及び第１係合孔４２が設けられている。カバー５における８つの係合位置夫々には、第２係合孔５１及び第２係合突起５２が設けられている。８つの係合位置は、左右対称に配されている。
【００２７】
図５は、８つの係合位置のひとつにおける枠本体４の上辺及びカバー５の拡大斜視図である。図６は、同じく断面斜視図であり、図３におけるＡ−Ａ線による枠体３の拡大断面斜視図である。
図４〜図６に示すように、枠本体４の上辺は、第１板４３及び突出部４４を備える。
第１板４３は、枠本体４の上辺の全長に亘る。第１板４３の左右両端部は枠本体４の左右両辺に連続している。第１板４３は表示部材２１の表示面２０に沿う向きに配されている。即ち、第１板４３の一面及び他面は前面及び後面である。第１板４３の前面は表示部材２１の後面に対向している。
突出部４４は、左右方向に細長い板状をなす。突出部４４は、第１板４３の下端部（即ち枠本体４の内周側の端部）から後向きに突出している。
【００２８】
各第１係合孔４２は、第１板４３と突出部４４との境界に設けられている。
各第１係合突起４１は、第１係合孔４２の開口の周縁部に設けられている。第１係合突起４１は円柱状をなし、第１板４３の後面から後向きに突出している。第１係合突起４１の周面には２つのリブ４１１，４１１が設けられている。各リブ４１１は、第１係合突起４１の軸長方向に沿う。リブ４１１，４１１の一方は、第１係合突起４１の周面から上側（即ち枠本体４の外周側）に向けて突出している。リブ４１１，４１１の他方は、第１係合突起４１の周面から下側に向けて突出している。
第１板４３には、第１係合孔４２に隣り合うようにして、第１挿入孔４５が設けられている。即ち、第１挿入孔４５，４５，…は８つある。
【００２９】
図７は、枠本体４の左辺の上端部及びカバー５の左端部５ａの拡大斜視図である。図８は、同じく断面斜視図であり、図３におけるＢ−Ｂ線による枠体３の拡大断面斜視図である。
図４、図７、及び図８に示すように、枠本体４の左辺は皿状部４６を有する。皿状部４６は上下方向に細長い矩形状をなし、後ろ向きに開口している。皿状部４６の上端部には２つのボス４６１，４６１及び第３係合突起４６２が設けられている。ボス４６１，４６１及び第３係合突起４６２夫々は皿状部４６の底壁から後向きに突出している。各ボス４６１の内部には雌ネジが設けられている。ボス４６１，４６１は左右方向に並び、第３係合突起４６２はボス４６１，４６１の間にある。
同様に、枠本体４の右辺も皿状部４６を有する。
【００３０】
図４〜図８に示すように、カバー５は、第２板５３及びカバー本体５４を備える。
第２板５３は、左右方向に細長い帯状をなす。第２板５３の一面は、枠本体４の第１板４３の後面に対向している。
各第２係合孔５１は、第２板５３に設けられている。
各第２係合突起５２は、第２板５３に面一の突出片である。第２係合突起５２は、第２板５３の下端部（第２板５３の枠本体４の内周側の端部）から下向きに突出している。
第２板５３には、第２係合孔５１に隣り合うようにして、第２挿入孔５５が設けられている。即ち、第２挿入孔５５，５５，…は８つある。
【００３１】
第２板５３の左右両端部における第２板５３の幅は、第２板５３の左右方向の非端部における第２板５３の幅より短い。第２係合孔５１及び第２係合突起５２は、第２板５３の左右両端部には設けられていない。
【００３２】
カバー本体５４は、カバー５の全長に亘る。カバー本体５４は側面カバー５４１及び正面カバー５４２を備える。
側面カバー５４１は、左右方向に長い板状をなす。側面カバー５４１の一面は上向きである。側面カバー５４１は第２板５３の上端部（第２板５３の枠本体４の外周側の端部）から前向きに突出している。
正面カバー５４２は、側面カバー５４１の前端部から下向きに突出しており、第２板５３に平行である。
【００３３】
カバー５の左右両端部５ａ，５ｂには２つの垂下板５６，５６が設けられている。各垂下板５６は、カバー本体５４の側面カバー５４１の下面から垂下しており、カバー本体５４の正面カバー５４２に平行である。垂下板５６には２つの第３挿入孔５６１，５６１が左右方向に並設されている。第３挿入孔５６１，５６１の間には、第３係合孔５６２が設けられている。
カバー５の左端部５ａには、係合片５７が設けられている。係合片５７は、カバー本体５４の側面カバー５４１から下向きに突出している。係合片５７は、側面カバー５４１の後端部における左端近傍から側面カバー５４１の左端部に亘り、カバー本体５４の正面カバー５４２に連続している。同様にして、カバー５の右端部５ｂにも係合片５７が設けられている。
【００３４】
枠本体４及びカバー５において、枠本体４の第１係合突起４１，４１，…がカバー５の第２係合孔５１，５１，…に係合している。また、枠本体４の第１係合孔４２，４２，…にカバー５の第２係合突起５２，５２，…が係合している。更に、枠本体４の第３係合突起４６２，４６２がカバー５の第３係合孔５６２，５６２に係合している。更にまた、カバー５の左端部５ａ（及び右端部５ｂ）において、カバー本体５４の正面カバー５４２及び係合片５７が枠本体４の左側（及び右側）の皿状部４６の上部に係合している。
以上の結果、枠本体４及びカバー５は互いに仮固定されている。
【００３５】
枠本体４の第１挿入孔４５，４５，…とカバー５の第２挿入孔５５，５５，…とは互いに前後方向に対向している。第２挿入孔５５及び第１挿入孔４５には、図示しない雄ネジが後側からこの順に挿入される。このネジは、表示部材２１のシャーシ２１１に設けられている雌ネジに螺合している。この結果、枠本体４及びカバー５は表示部材２１に共締めされている。
枠本体４のボス４６１，４６１，…とカバー５の第３挿入孔５６１，５６１とは互いに前後方向に対向している。各第３挿入孔５６１には、図示しない雄ネジが後ろ側から挿入されている。この雄ネジがボス４６１の雌ネジに螺合している。故に、カバー５の垂下板５６，５６は枠本体４の皿状部４６，４６に固定されている。
【００３６】
カバー５の側面カバー５４１は表示部材２１の上側面を覆っている。また、カバー５の側面カバー５４１は枠本体４の上端部も覆っている。
カバー５の正面カバー５４２は表示部材２１の正面の上端部を覆っている。
【００３７】
図２に示すように、表示装置２は４つ（図中２つ）の補強金具２２，２２，…、２つのスピーカユニット２３，２３、及び２つのリアカバー２４，２４を備える。
補強金具２２，２２，…は、枠本体４を補強するために、枠本体４の四隅に取り付けられている。
各スピーカユニット２３は、枠本体４の皿状部４６の内部に取り付けられている。
各リアカバー２４は、スピーカユニット２３及び枠本体４の左辺（又は右辺）を後側から覆うようにして、枠本体４の皿状部４６に取り付けられている。
【００３８】
図９は、テレビジョン受信機１を示す背面図である。
図２及び図９に示すように、表示装置２はリアキャビネット２５を備える。リアキャビネット２５は、表示部材２１、補強金具２２，２２，…、及び枠本体４を後側から覆うようにして、表示部材２１に取り付けられている。
【００３９】
図１及び図２に示すように、表示装置２は２つのスピーカネット２６，２６及び飾り部材２７を備える。
各スピーカネット２６は、枠本体４の左辺（又は右辺）を前側から覆うようにして、枠本体４の皿状部４６に取り付けられている。
飾り部材２７は、枠本体４の下辺を前側から覆うようにして、枠本体４に取り付けられている。
以上の結果、枠体３の内、カバー５は露出しているが、枠本体４は目隠しされている。
【００４０】
枠体３の枠本体４は、高強度化及び低コスト化を重視して製造されている。一方、枠体３のカバー５は、美観性及び意匠性の向上を重視して製造されている。故に、高強度化及び低コスト化と、美観性及び意匠性の向上とを両立させることができる。
【００４１】
次に、枠体３の製造手順について説明する。
枠体３を製造する部品メーカーは、まず、枠本体４及びカバー５夫々を製造する。次いで、枠本体４及びカバー５を互いに仮固定することによって、枠本体４とカバー５とが一体化されたもの（即ち枠体３）を製造する。
【００４２】
図１０は、枠本体４の上辺へのカバー５の係合手順を説明するための断面斜視図である。
図１１は、枠本体４へのカバー５の左端部５ａの係合手順を説明するための断面斜視図である。
カバー５の第２板５３は、枠本体４の第１板４３の後面に対して傾斜するようにして、第１板４３の後面に対向する。カバー５の第２係合突起５２，５２，…は枠本体４の第１係合孔４２，４２，…に向けられる。カバー５のカバー本体５４は、枠本体４の第１板４３の上端部に向けられる。
次いで、カバー５の第２係合突起５２，５２，…が枠本体４の第１係合孔４２，４２，…に挿入される。
【００４３】
次に、傾斜していた第２板５３が第２係合突起５２，５２，…の基端部を中心として第１板４３に向けて回転する。すると、第２板５３が第１板４３の後面に沿うようにして第１板４３の後面に対向する（図６及び図８参照）。このとき、枠本体４の第１係合突起４１，４１，…がカバー５の第２係合孔５１，５１，…に挿入される。また、枠本体４の第３係合突起４６２，４６２がカバー５の第３係合孔５６２，５６２に挿入される。更に、カバー本体５４が第１板４３の上端部を覆う。
【００４４】
次いで、カバー５の左端部５ａ（及び右端部５ｂ）が枠本体４の左側（及び右側）の皿状部４６の上壁に覆い被せられる。皿状部４６の上壁は、カバー本体５４及び係合片５７に囲まれた空間に嵌め込まれ、カバー本体５４の正面カバー５４２及び係合片５７が皿状部４６の上部に係合する。
以上の結果、カバー５の枠本体４への仮固定を容易に行なうことができる。
本実施の形態では、第１係合突起４１が第２係合孔５１に挿入されたとき、第１係合突起４１のリブ４１１，４１１の内、少なくとも下側のリブ４１１の先端面が第２係合孔５１の内面に接触する。
【００４５】
枠本体４及びカバー５の仮固定の際、カバー５においては、第２係合突起５２，５２，…の基端部が支点、カバー本体５４が力点、第２係合孔５１，５１，…が作用点の梃子になる。故に、工具無しにカバー５を枠本体４に仮固定することができる。
第１係合孔４２と第２係合突起５２との係合位置は、第１係合突起４１と第２係合孔５１との係合位置の近傍にある。故に、２種類の係合位置を同時的に視認することができる。
カバー５は枠本体４の３辺に係合している。故に、カバー５が枠本体４から脱落することを抑制することができる。
【００４６】
部品メーカーは枠体３を梱包する。即ち、部品メーカーは、仮固定によって一体化された枠本体４及びカバー５をまとめて梱包する。部品メーカーは枠体３を製品メーカーへ輸送する。故に、枠本体４及びカバー５を個別に梱包して輸送する場合よりも、梱包コスト及び輸送コストを削減することができる。
【００４７】
製品メーカーは、２つの部品（枠本体４及びカバー５）を１つの部品（枠体３）として取り扱う。
枠本体４及びカバー５は、互いに仮固定されている状態で、表示部材２１に共締めされる。故に、枠本体４及びカバー５を表示部材２１に順次固定する必要がない。
カバー５の左右両端部５ａ，５ｂは、枠本体４に固定される。
【００４８】
カバー５は細長いので歪み易い。しかしながら、枠本体４及びカバー５は、仮固定によって一体化されているので、互いを補強することができる。故に、枠本体４及びカバー５夫々の歪みを抑制することができる。従って、カバー５（又は枠本体４）の歪みを抑制しつつカバー５（又は枠本体４）を表示部材２１に固定する必要がない。同様に、カバー５の歪みを抑制しつつカバー５を枠本体４に固定する必要がない。
【００４９】
第１挿入孔４５及び第２挿入孔５５は、第１係合突起４１と第２係合孔５１とが係合する係合位置に隣り合う。故に、枠本体４を表示部材２１にネジ留めするネジ留め位置の近傍で、カバー５によって枠本体４を補強することができる。同様に、カバー５を表示部材２１にネジ留めするネジ留め位置の近傍で、枠本体４によってカバー５を補強することができる。従って、表示部材２１への共締めに起因する枠本体４及びカバー５夫々の歪みを抑制することができる。
【００５０】
ところで、第１係合突起４１が第２係合孔５１に挿入されている場合、第１係合突起４１の下側のリブ４１１が第２係合孔５１の内面に接触している。故に、カバー５が枠本体４に対して相対的に上方向に位置ずれすることを抑制することができる。
また、リブ４１１，４１１によって第１係合突起４１を補強することができる。
なお、第１係合突起４１のリブ４１１，４１１夫々の先端面が第２係合孔５１の内面に接触していてもよい。この場合、カバー５が枠本体４に対して相対的に上下両方向（枠本体４の内外両方向）に位置ずれすることを抑制することができる。
【００５１】
以上のような表示装置２、表示装置２を備えるテレビジョン受信機１、及び表示装置２が備える枠体３は、容易に製造することができる。
【００５２】
なお、表示装置２は、テレビジョン受信機１を構成するものに限定されず、例えば、電子看板、又はパーソナルコンピュータ用のモニタ等を構成するものであってもよい。
【００５３】
最後に、実施の形態についてまとめる。
【００５４】
本実施の形態に係る表示装置２は、正面に表示面２０を有する矩形板状の表示部材２１と、該表示部材２１に固定されている枠体３とを備える表示装置２において、前記枠体３は、前記表示部材２１の周縁に沿うように配されている矩形状の枠本体４と、前記枠本体４の１辺に沿って互いに離隔している複数ヶ所にて前記枠本体４に係合することによって前記枠本体４に仮固定されており、前記表示部材２１の一側面を覆っているカバー５とを有し、前記枠本体４及び前記カバー５が共に前記表示部材２１に固定されていることを特徴とする。
【００５５】
本実施の形態に係る表示装置２は、前記枠本体４の前記１辺は、該１辺に沿って延び、前記表示面２０に沿う向きに配されており、前記表示部材２１の後面に対向している第１板４３と、該第１板４３の前記枠本体４の内周側の端部から後向きに突出している突出部４４と、前記１辺に沿って並び、夫々が前記第１板４３と前記突出部４４との境界に設けられている複数の第１係合孔４２と、前記１辺に沿って並び、夫々が前記第１板４３の後面から後向きに突出している複数の第１係合突起４１とを有し、前記カバー５は、前記１辺に沿って延び、前記表示面２０に沿う向きに配されており、前記第１板４３の前記後面に対向している第２板５３と、夫々が該第２板５３に設けられており、前記第１係合突起４１が係合している複数の第２係合孔５１と、夫々が前記第２板５３の前記枠本体４の内周側の端部に設けられており、前記第１係合孔４２に係合している複数の第２係合突起５２と、前記第２板５３の前記枠本体４の外周側の端部から前向きに突出しており、前記第１板４３の前記枠本体４の外周側の端部及び前記表示部材２１の一側面を覆っているカバー５本体とを有することを特徴とする。
【００５６】
本実施の形態に係る表示装置２は、前記第１係合突起４１は、前記第１係合孔４２の周縁部に設けられていることを特徴とする。
【００５７】
本実施の形態に係る表示装置２は、前記枠本体４の前記第１板４３には、前記枠本体４及び前記カバー５を前記表示部材２１に固定するための固定部材が挿入される第１挿入孔４５が前記第１係合突起４１に隣り合うようにして設けられており、前記カバー５の前記第２板５３には、前記固定部材が挿入され、前記第１挿入孔４５に対向している第２挿入孔が設けられていることを特徴とする。
【００５８】
本実施の形態に係る表示装置２は、前記第１係合突起４１は柱状をなし、該第１係合突起４１の周面に、前記第１係合突起４１の軸長方向に沿い、前記枠本体４の内周側及び外周側に向けて突出しており、少なくとも一方が前記第２係合孔５１の内面に接触している２つのリブ４１１が設けられていることを特徴とする。
【００５９】
本実施の形態に係る表示装置２は、前記カバー５の前記１辺に沿う両端部は、前記枠本体４の前記１辺に交差する２辺に係合していることを特徴とする。
【００６０】
本実施の形態に係るテレビジョン受信機１は、本実施の形態に係る表示装置２と、テレビジョン放送を受信する受信部１１とを備え、該受信部１１にて受信したテレビジョン放送に基づいて、前記表示装置２に映像を表示することを特徴とする。
【００６１】
本実施の形態に係る枠体３は、矩形板状の表示部材２１に固定される枠体３において、前記表示部材２１の周縁に沿うように配される矩形状の枠本体４と、前記枠本体４の１辺に沿って離隔している複数ヶ所にて前記枠本体４に係合することによって前記枠本体４に仮固定されており、前記表示部材２１の一側面を覆うカバー５とを備えることを特徴とする。
【００６２】
本実施の形態に係る枠体３は、前記枠本体４の前記１辺は、該１辺に沿って延び、前記１辺及び前記枠本体４の前記１辺に交差する２辺夫々に沿う向きの第１板４３と、該第１板４３の前記枠本体４の内周側の端部から前記１辺及び前記２辺夫々に交差する方向に突出している突出部４４と、前記１辺に沿って並び、夫々が前記第１板４３と前記突出部４４との境界に設けられている複数の第１係合孔４２と、前記１辺に沿って並び、夫々が前記第１板４３の一面から前記突出部４４の突出方向と同じ向きに突出している複数の第１係合突起４１とを有し、前記カバー５は、前記１辺に沿って延び、前記１辺及び前記２辺夫々に沿う向きに配されており、前記第１板４３の前記一面に対向している第２板５３と、夫々が該第２板５３に設けられており、前記第１係合突起４１が係合している複数の第２係合孔５１と、夫々が前記第２板５３の前記枠本体４の内周側の端部に設けられており、前記第１係合孔４２に係合している複数の第２係合突起５２と、前記第２板５３の前記枠本体４の外周側の端部から前記突出方向の逆向きに突出しており、前記第１板４３の前記枠本体４の外周側の端部を覆っており、前記表示部材２１の一側面を覆うカバー５本体とを備えることを特徴とする。
【００６３】
本実施の形態に係る枠体３の製造方法は、本実施の形態に係る枠体３を製造する方法であって、前記カバー５の前記第２板５３が前記枠本体４の前記一面に対して傾斜するようにして前記第２板５３を前記一面に対向させ、前記カバー５の前記第２係合突起５２を前記第１係合孔４２に挿入し、次いで、前記カバー５の前記第２板５３が前記枠本体４の前記一面に沿うようにして前記第２板５３を前記一面に対向させることによって、前記枠本体４の前記第１係合突起４１を前記カバー５の前記第２係合孔５１に挿入することを特徴とする。
【００６４】
本実施の形態にあっては、互いに仮固定されている枠本体及びカバーが共に表示部材に固定される。故に、枠本体及びカバーを表示部材に順次固定する必要がない。
枠本体及びカバーは、仮固定によって一体化されているので、互いを補強することができる。故に、枠本体及びカバー夫々の歪みを抑制することができる。従って、カバー（又は枠本体）の歪みを抑制しつつカバー（又は枠本体）を表示部材に固定する必要がない。
以上の結果、表示装置を容易に製造することができる。
【００６５】
ここで、枠体を製造する部品メーカーと、部品メーカーから枠体を納品されて表示装置を製造する製品メーカーとがある場合を考える。
部品メーカーが枠本体及びカバーを互いに仮固定する場合、部品メーカーは、一体化された枠本体及びカバーをまとめて梱包した状態で製品メーカーへ輸送し、納品することができる。故に、枠本体及びカバーを個別に梱包して輸送する場合よりも、梱包コスト及び輸送コストを削減することができる。製品メーカーは、２つの部品（枠本体及びカバー）を１つの部品（枠体）として取り扱うことができる。
【００６６】
本実施の形態にあっては、カバーの第２係合突起が枠本体の第１係合孔に挿入され、次いで、枠本体の第１係合突起がカバーの第２係合孔に挿入される。故に、第１係合孔と第２係合突起とを互いに係合させると共に第１係合突起と第２係合孔とを互いに係合させることが、容易にできる。即ち、カバーを枠本体に容易に仮固定することができる。
【００６７】
本実施の形態にあっては、第１係合孔と第２係合突起との係合位置が、第１係合突起と第２係合孔との係合位置の近傍にある。故に、２種類の係合位置を同時的に視認することができる。従って、カバーを枠本体に容易に仮固定することができる。
【００６８】
本実施の形態にあっては、固定部材が挿入される第１挿入孔及び第２挿入孔が、第１係合突起と第２係合孔とが係合する係合位置に隣り合う。
故に、枠本体を表示部材に固定する固定位置の近傍で、カバーによって枠本体を補強することができる。同様に、カバーを表示部材に固定する固定位置の近傍で、枠本体によってカバーを補強することができる。従って、表示部材への固定に起因する枠本体及びカバー夫々の歪みを抑制することができる。
【００６９】
本実施の形態にあっては、第１係合突起が第２係合孔に挿入されている場合に、カバーが枠本体に対して相対的に枠本体の内外方向に位置ずれすることを抑制することができる。
また、リブによって第１係合突起を補強することができる。
【００７０】
本実施の形態にあっては、カバーが枠本体の３辺に係合する。故に、カバーが枠本体から脱落ことを抑制することができる。
【００７１】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００７２】
１      テレビジョン受信機
１１    受信部
２      表示装置
２０    表示面
２１    表示部材
３      枠体
４      枠本体
４１    第１係合突起
４１１  リブ
４２    第１係合孔
４３    第１板
４４    突出部
４５    第１挿入孔
５      カバー
５１    第２係合孔
５２    第２係合突起
５３    第２板
５４    カバー本体
５５    第２挿入孔
【図１】
2019148653.tif 000003
【図２】
2019148653.tif 000004
【図３】
2019148653.tif 000005
【図４】
2019148653.tif 000006
【図５】
2019148653.tif 000007
【図６】
2019148653.tif 000008
【図７】
2019148653.tif 000009
【図８】
2019148653.tif 000010
【図９】
2019148653.tif 000011
【図１０】
2019148653.tif 000012
【図１１】
2019148653.tif 000013